(57)【要約】【課題】記録予約を設定する際若しくはそれを設定した後でも、確実に、流動的な番組編成に即座に対応する。【解決手段】ユーザ携帯端末１０１は、放送局からのＴＶ放送信号に含まれている番組関連データから、既定の番組編成が変更されたこと及び変更後の番組編成を知得したときは、既に登録済みの１以上の番組予約情報を取得し、放送時間帯が変更されたＴＶ番組に関する番組予約情報があるか否かを判断する。もし、そのような番組予約情報があれば、ユーザ携帯端末１０１は、変更後の番組編成に基づいて、その番組予約情報の内容を変更した新たな番組予約情報を作成して記録制御装置１０３に送信する。記録制御装置１０３は、その新たな番組予約情報を、既存の番組予約情報に上書きする。【選択図】  図１
2004215031.tif 000002
【特許請求の範囲】
【請求項１】
放送局から発信された放送信号に含まれている番組信号の記録を制御する記録制御装置と、前記記録制御装置と通信ネットワークを介して通信可能な指示装置とを備えるシステムであって、
前記指示装置が、
前記放送局から発信された、番組関連情報と番組信号とを含んだ放送信号を受信する放送信号受信手段と、
前記受信した放送信号に含まれている前記番組関連情報から、既定の番組編成が変更されたこと及び変更後の番組編成を知得する知得手段と、
前記知得された変更後の番組編成又はそれに関する番組変更情報を、前記通信ネットワークを介して前記記録制御装置に送信する送信手段と
を有し、前記記録制御装置が、
前記指示装置から前記変更後の番組編成又は前記番組変更情報を受信する受信手段と、
番組を記録すべき記録時間帯と、その記録時間帯における複数の放送信号のうちのどの放送信号中の番組信号を記録するかを表した記録番組情報とを含んだ記録予約情報を取得する取得手段と、
前記受信した変更後の番組編成又は番組変更情報に基づいて、前記取得された記録予約情報の内容を変更する、又は前記記録予約情報を消去する予約変更手段と
を有する、
番組予約制御システム。
【請求項２】
前記指示装置は、前記通信ネットワーク上に備えられているサーバマシン、又は、ユーザが使用する据置型又は携帯型の端末装置である、
請求項１記載の番組予約制御システム。
【請求項３】
前記指示装置は、前記番組変更情報として、前記知得された変更後の番組編成に基づいて、過去に登録された記録予約情報の内容を変更する又はその記録予約情報を消去することの予約変更命令を作成する作成手段を有し、
前記予約変更手段は、前記指示装置から受信した前記予約変更命令に基づいて、前記取得された記録予約情報の内容を変更する、又は前記記録予約情報を消去する、
請求項１記載の番組予約制御システム。
【請求項４】
前記予約変更手段は、前記記録予約情報中の記録時間帯を変更する場合に、変更後の記録時間帯が、他の記録予約情報に含まれている他の記録時間帯の全部又は一部と重複することになるならば、前記変更後の記録時間帯と前記他の記録時間帯とが重複することが無いように、対象となっている前記記録予約情報と前記他の記録予約情報との少なくとも一方の記録時間帯を変更する又は消去する、
請求項１又は３記載の番組予約制御システム。
【請求項５】
前記予約変更手段は、前記指示装置又は前記記録制御装置のユーザによる操作に応答して、或いは予め設定されている優先順位に基づいて、前記２つ以上の記録時間帯のうちどの記録時間帯を長くし、どの記録時間帯を短くする又は消去するかを決定する、
請求項４記載の番組予約制御システム。
【請求項６】
前記予約変更手段は、前記記録予約情報中の記録時間帯を変更する場合に、変更後の記録時間帯が、他の記録予約情報に含まれている他の記録時間帯の全部又は一部と重複することになるならば、
（１）変更後の前記記録予約情報に基づいて記録すべき番組信号が第１の記録装置に記録されるように前記第１の記録装置を制御し、
（２）前記他の記録予約情報に基づいて記録すべき番組信号が第２の記録装置に記録されるように前記第２の記録装置を制御する、
請求項１記載の番組予約制御システム。
【請求項７】
放送局から発信された放送信号に含まれている番組信号の記録を制御する記録制御装置と、前記記録制御装置と通信ネットワークを介して通信可能な指示装置とがあり、
前記指示装置又は前記記録制御装置が、前記放送局から発信された、番組関連情報と番組信号とを含んだ放送信号を受信するステップと、
前記指示装置又は前記記録制御装置が、前記受信した放送信号に含まれている前記番組関連情報から、既定の番組編成が変更されたこと及び変更後の番組編成を知得するステップと、
前記指示装置又は前記記録制御装置が、番組を記録すべき記録時間帯と、その記録時間帯における複数の放送信号のうちのどの放送信号中の番組信号を記録するかを表した記録番組情報とを含んだ記録予約情報を取得する取得手段と、
前記指示装置又は前記記録制御装置が、前記知得された変更後の番組編成又はそれに関する番組変更情報に基づいて、前記取得された記録予約情報の内容を変更する、又は前記記録予約情報を消去するステップと
を有する番組予約制御方法。
【請求項８】
放送局から発信された放送信号に含まれている番組信号の記録を制御する記録制御装置と通信ネットワークを介して通信可能な指示装置であって、
前記放送局から発信された、番組関連情報と番組信号とを含んだ放送信号を受信する放送信号受信手段と、
前記受信した放送信号に含まれている前記番組関連情報から、既定の番組編成が変更されたこと及び変更後の番組編成を知得する知得手段と、
前記知得された変更後の番組編成又はそれに関する番組変更情報を、前記通信ネットワークを介して前記記録制御装置に送信する送信手段と
を有し、それにより、前記記録制御装置をして、番組を記録すべき記録時間帯と、その番組記録時間帯における複数の放送信号のうちのどの放送信号中の番組信号を記録するかを表した記録番組情報とを含んだ記録予約情報を取得し、前記送信した変更後の番組編成又は番組変更情報に基づいて、前記取得された記録予約情報の内容を変更する、又は前記記録予約情報を消去することを可能にならしめる、
指示装置。
【請求項９】
放送局から発信された放送信号に含まれている番組信号の記録を制御する記録制御装置であって、
遠隔の装置から、変更後の番組編成又はそれに関する番組変更情報を受信する受信手段と、
番組を記録すべき記録時間帯と、その番組記録時間帯における複数の放送信号のうちのどの放送信号中の番組信号を記録するかを表した選択放送情報とを含んだ記録予約情報を取得する取得手段と、
前記受信した変更後の番組編成又は番組変更情報に基づいて、前記取得された記録予約情報の内容を変更する、又は前記記録予約情報を消去する予約変更手段と
を備える記録制御装置。
【請求項１０】
放送局から発信された放送信号に含まれている番組信号の記録を制御する記録制御装置と通信ネットワークを介して通信可能な指示装置を構築するためのコンピュータプログラムであって、
前記放送局から発信された、番組関連情報と番組信号とを含んだ放送信号に含まれている前記番組関連情報から、既定の番組編成が変更されたこと及び変更後の番組編成を知得するステップと、
前記知得された変更後の番組編成又はそれに関する番組変更情報を、前記通信ネットワークを介して前記記録制御装置に送信するステップと
を有し、それにより、前記記録制御装置をして、番組を記録すべき記録時間帯と、その番組記録時間帯における複数の放送信号のうちのどの放送信号中の番組信号を記録するかを表した記録番組情報とを含んだ記録予約情報を取得し、前記送信した変更後の番組編成又は番組変更情報に基づいて、前記取得された記録予約情報の内容を変更する、又は前記記録予約情報を消去することを可能にならしめる、
コンピュータプログラム。
【請求項１１】
放送局から発信された放送信号に含まれている番組信号の記録を制御する記録制御装置を構築するためのコンピュータプログラムであって、
遠隔の装置から、変更後の番組編成又はそれに関する番組変更情報を受信する受信手段と、
番組を記録すべき記録時間帯と、その番組記録時間帯における複数の放送信号のうちのどの放送信号中の番組信号を記録するかを表した選択放送情報とを含んだ記録予約情報を取得する取得手段と、
遠隔の装置から受信された変更後の番組編成又はそれに関する番組変更情報に基づいて、前記取得された記録予約情報の内容を変更する、又は前記記録予約情報を消去するステップと
を有するコンピュータプログラム。
【発明の詳細な説明】
【０００１】
【発明の属する技術分野】
本発明は、放送信号に含まれている番組信号を記録するための記録予約情報に基づいて番組を記録する際の記録予約の制御に関する。
【０００２】
【従来の技術】
この種の技術に、例えば、携帯電話機を用いて外出先から自宅の家庭用ビデオサーバに対しテレビジョン番組（以下、「ＴＶ番組」と略記する）の録画予約を行う技術がある（例えば、特許文献１参照）。この従来技術は、以下のようになっている。
【０００３】
すなわち、ユーザは、ＴＶ番組の番組予約をするために、携帯電話機を用いて、番組表配信サーバにアクセスし、その番組表配信サーバから番組表を取得する。そして、ユーザは、携帯電話機のディスプレイ画面に表示された番組表から、録画予約したい番組を選択し、番組予約サーバにアクセスする。そして、ユーザは、携帯電話機から、録画予約を希望する番組の番組コードと転送先コードとを番組予約サーバに送信する。番組予約サーバは、携帯電話機から受信した番組コード及び転送先コードから予約コードを生成して、その予約コードを家庭用ビデオサーバに送信し、家庭用ビデオサーバが、番組予約サーバから受信した予約コードを用いて番組予約をする。
【０００４】
【特許文献１】
特開２００１−２３８１５７号公報（例えば第９頁、第１図）。
【０００５】
【発明が解決しようとする課題】
ところで、放送されるＴＶ番組の番組編成（例えば、どの時間帯にどのＴＶ番組を放送するかを定めたもの）は、流動的に変更される場合がある。具体的には、例えば、スポーツ番組が、予め決められている終了予定時間を過ぎたにも拘わらず、試合が終わらないために放送され続けたり、突然の事件発生により放送が予定されていた番組が急にニュース番組に変更されたり等の原因により、番組の放送時間帯が変更されたり、或いは番組の放送自体が中止される場合がある。この場合に、ビデオレコーダ又はＤＶＤ（Ｄｉｇｉｔａｌ  Ｖｅｒｓａｔｉｌｅ  Ｄｉｓｃ）レコーダ等のような録画装置に録画予約が設定されていたとき、その録画予約に基づいてＴＶ番組が録画されても、実際に録画されたＴＶ番組は、ユーザが録画したいＴＶ番組と異なってしまうことがある。このため、録画予約を設定した後に、ＴＶ番組の番組編成が流動的に変更されたとしても、自分が所望するＴＶ番組を正確に録画されることが望まれる。
【０００６】
しかし、上述した従来技術では、そうすることは必ずしもできない。
【０００７】
なぜなら、上述した従来技術によれば、録画予約をしたりそれを変更したりするためには、ユーザが、携帯電話機を用いて番組表配信サーバへアクセスして番組表を取得したり、その番組表の中から所望のＴＶ番組を選択して更に番組予約サーバへアクセスしたりすることが不可欠であるといった煩雑な操作を必要とする、換言すれば、オーバヘッドが生じてしまうからである。また、番組表配信サーバの番組表の更新が遅いことがあるからである。
【０００８】
本発明は、このような問題点に鑑みてなされたものであり、その目的は、記録予約を設定する際若しくはそれを設定した後でも、確実に、流動的な番組編成に即座に対応することができるようにすることである。
【０００９】
【課題を解決するための手段】
本発明に従う番組予約制御システムは、放送局から発信された放送信号に含まれている番組信号の記録を制御する記録制御装置と、前記記録制御装置と通信ネットワークを介して通信可能な指示装置とを備える。指示装置は、前記放送局から発信された、番組関連情報と番組信号とを含んだ放送信号を受信する放送信号受信手段と、前記受信した放送信号に含まれている前記番組関連情報から、既定の番組編成が変更されたこと及び変更後の番組編成を知得する知得手段と、前記知得された変更後の番組編成又はそれに関する番組変更情報を、前記通信ネットワークを介して前記記録制御装置に送信する送信手段とを有する。記録制御装置は、前記指示装置から前記変更後の番組編成又は前記番組変更情報を受信する受信手段と、番組を記録すべき記録時間帯と、その記録時間帯における複数の放送信号のうちのどの放送信号中の番組信号を記録するかを表した記録番組情報とを含んだ記録予約情報を取得する取得手段と、前記受信した変更後の番組編成又は番組変更情報に基づいて、前記取得された記録予約情報の内容を変更する、又は前記記録予約情報を消去する予約変更手段とを有する。
【００１０】
前記指示装置は、例えば、前記通信ネットワーク上に備えられているサーバマシン、又は、ユーザが使用する据置型又は携帯型の端末装置（例えば、デスクトップ型のパーソナルコンピュータ、テレビジョン装置、携帯電話機、ＰＤＡ、又はＰＨＳ等）である。また、記録制御装置は、例えば、番組をビデオ、ＣＤ、ＭＤ、ＤＶＤ、或いはハードディスク等の記憶装置に記録するレコーダに内蔵されても良いし、そのレコーダと通信可能なサーバ、チューナ等であっても良い。
【００１１】
また、「番組編成」とは、例えば、複数の番組と、それら複数の番組の各々の放送時間帯とを定めた放送スケジュールである。また、「変更後の番組編成」とは、変更後の放送予定の２以上の番組及び各番組の放送時間帯を定めた変更後の放送スケジュール、或いは、２以上の番組の放送時間帯がどのぐらいの時間だけ繰り下がるか又は繰り上がるかを表したもの、又はどの番組の放送が中止になったかを表したものである。
【００１２】
また、「変更後の番組編成に関する番組関連情報」とは、例えば、変更後の番組編成に基づいて指示装置によって作成された予約変更命令である。具体的には、指示装置は、例えば、過去に入力された録画予約情報を取得し、取得した録画予約情報と変更後の番組編成とに基づいて、放送時間帯の変更又は放送の中止に係る番組に関する録画予約情報の有無を検出し、そのような録画予約情報があったときに、放送時間帯の変更又は中止の情報に基づいて、その録画予約情報の内容を変更又は削除するための予約変更命令を作成する。予約変更命令には、例えば、内容変更後の記録予約情報が含まれており、それが、予め登録されているターゲットの記録予約情報に上書きされる。
【００１３】
「記録予約情報」は、例えば、指示装置内のメモリ等の記憶手段、記録制御装置内のメモリ等の記憶手段、或いは、別のマシン（例えば通信ネットワーク上のサーバ、又は、ビデオ、ＣＤ、ＭＤ、ＤＶＤ、或いはハードディスクを用いるレコーダ）に登録されていて、そこから取得することができる。
【００１４】
本発明の好適な実施形態では、前記予約変更手段は、前記記録予約情報中の記録時間帯を変更する場合に、変更後の記録時間帯が、他の記録予約情報に含まれている他の記録時間帯の全部又は一部と重複することになるならば、前記変更後の記録時間帯と前記他の記録時間帯とが重複することが無いように、対象となっている前記記録予約情報と前記他の記録予約情報との少なくとも一方の記録時間帯を変更する又は消去する。具体的には、例えば、前記予約変更手段は、前記指示装置又は前記記録制御装置のユーザによる操作に応答して、或いは予め設定されている優先順位に基づいて、前記２つ以上の記録時間帯のうちどの記録時間帯を長くし、どの記録時間帯を短くする又は消去するかを決定する。
【００１５】
本発明の別の好適な実施形態では、前記予約変更手段は、前記記録予約情報中の記録時間帯を変更する場合に、変更後の記録時間帯が、他の記録予約情報に含まれている他の記録時間帯の全部又は一部と重複することになるならば、
（１）変更後の前記記録予約情報に基づいて記録すべき番組信号が第１の記録装置に記録されるように前記第１の記録装置を制御し、
（２）前記他の記録予約情報に基づいて記録すべき番組信号が第２の記録装置に記録されるように前記第２の記録装置を制御する。
【００１６】
「第１の記録装置」とは、例えば、ビデオ、ＣＤ、ＭＤ、ＤＶＤ、或いはハードディスクを用いるレコーダそれ自体、又は、そのレコーダ内の第１の記録メディア（例えばビデオテープ又はＣＤ等）のことである。また、「第２の記録装置」とは、例えば、第１の記録装置が指すレコーダとは異なるレコーダ、又は、同一レコーダ内の第１の記録メディアとは異なる記録メディアのことである。
【００１７】
本発明に従う指示装置は、放送局から発信された放送信号に含まれている番組信号の記録を制御する記録制御装置と通信ネットワークを介して通信可能な指示装置であって、前記放送局から発信された、番組関連情報と番組信号とを含んだ放送信号を受信する放送信号受信手段と、前記受信した放送信号に含まれている前記番組関連情報から、既定の番組編成が変更されたこと及び変更後の番組編成を知得する知得手段と、前記知得された変更後の番組編成又はそれに関する番組変更情報を、前記通信ネットワークを介して前記記録制御装置に送信する送信手段とを有し、それにより、前記記録制御装置をして、番組を記録すべき記録時間帯と、その番組記録時間帯における複数の放送信号のうちのどの放送信号中の番組信号を記録するかを表した記録番組情報とを含んだ記録予約情報を取得し、前記送信した変更後の番組編成又は番組変更情報に基づいて、前記取得された記録予約情報の内容を変更する、又は前記記録予約情報を消去することを可能にならしめる。
【００１８】
本発明に従う記録制御装置は、放送局から発信された放送信号に含まれている番組信号の記録を制御する記録制御装置であって、遠隔の装置から、変更後の番組編成又はそれに関する番組変更情報を受信する受信手段と、番組を記録すべき記録時間帯と、その番組記録時間帯における複数の放送信号のうちのどの放送信号中の番組信号を記録するかを表した選択放送情報とを含んだ記録予約情報を取得する取得手段と、前記受信した変更後の番組編成又は番組変更情報に基づいて、前記取得された記録予約情報の内容を変更する、又は前記記録予約情報を消去する予約変更手段とを備える。
【００１９】
なお、本発明のシステム、指示装置、及び記録制御装置を構成する複数の手段はコンピュータにより実施することができるが、そのためのコンピュータプログラムは、ディスク型ストレージ、半導体メモリ及び通信ネットワークなどの各種媒体を通じてコンピュータにインストール又はロードすることができる。
【００２０】
【発明の実施の形態】
本発明は、ＴＶ番組やラジオ番組等の種々の番組の記録予約に適用し得るが、以下、デジタルテレビジョン放送信号に含まれているＴＶ番組の録画予約に本発明が適用された場合の一実施形態を、図１乃至図９を用いて説明する。
【００２１】
図１は、本実施形態に係る番組録画制御システムの構成例を示すブロック図である。
【００２２】
図１において、１０１は、ユーザが携帯するユーザ携帯端末（例えば、携帯電話機、ＰＨＳ、ＰＤＡ等）、１０２は、インターネット等の公衆回線網（通信ネットワーク）、１０４は、ユーザの住居内等に設置されているビデオレコーダ又はＤＶＤレコーダ等の記録装置、１０３は、記録装置１０４を制御する記録制御装置である。ユーザ携帯端末１０１と、記録制御装置１０３は、公衆回線網１０２を介して一方向に又は双方向に通信可能である。
【００２３】
図１を参照して、まず、本実施形態の大枠について説明する。
【００２４】
同図において、放送局からは、高レートなデジタルテレビジョン放送信号（以下、「ＴＶ放送信号」と略記）と、低レートなＴＶ放送信号とが、例えばＩＳＤＢ−Ｔの伝送方式により、階層伝送される。ここで言う「階層伝送」とは、低レートなＴＶ放送信号が、高レートなＴＶ放送信号のサイマル放送で放送されることを意味し、各ＴＶ放送信号に含まれているＴＶ番組は同内容である。しかし、各ＴＶ放送信号に含まれている情報量は著しく異なっている。
【００２５】
具体的には、例えば、高レートなＴＶ放送信号は、伝送速度が数十Ｍｂｐｓであって、表示機能に比較的優れた装置向けの放送信号（一例として、大型のディスプレイ装置を備えたテレビジョン装置等の固定機向けの放送信号）であり、以下のような比較的大サイズのデータ、例えば、高精細な（つまり高解像度の）動画像データ、高音質なサウンドデータ（例えば音声データ）、及び、大サイズの番組関連データ（例えば、当該放送信号に含まれているＴＶ番組から１週間後までの当該放送局における番組関連情報）が含まれている。一方、低レートなＴＶ放送信号は、例えば、伝送速度が数百ｋｂｐｓであって、表示機能に比較的優れていない装置向けの放送信号（一例として、ＴＶ番組の表示をメインの機能としていない装置、例えば、小サイズのディスプレイ画面を有する携帯電話機、ＰＨＳ、ＰＤＡ等の携帯機向けの放送信号）であり、以下のような比較的小サイズのデータ、例えば、小サイズのディスプレイ画面に十分に表示できる程度の粗い（つまり低解像度の）動画像データ、小型スピーカなどで十分な視聴が可能な程度の音質の（つまり低音質の）サウンドデータ、及び、低サイズの番組関連データ（例えば、当該放送信号に含まれているＴＶ番組から数十個先までの当該放送局における番組関連情報）が含まれている。これらのＴＶ放送信号は、多重化されて、放送局から送出される。なお、例えば、将来、携帯電話機等の携帯端末がより高機能になった等の場合には、低レートのＴＶ放送信号に、高解像度の動画像データ、高音質の音声データ、及び大サイズの番組関連データのうちの少なくとも一つを含めても良いし、携帯電話機等の携帯端末が高レートのＴＶ放送信号をそのまま受信しても良い。
【００２６】
この実施形態では、低レートのＴＶ放送信号はユーザ携帯端末１０１が受信し、高レートのＴＶ放送信号は記録制御装置１０３が受信するようになっている。
【００２７】
ユーザ携帯端末１０１は、放送局から発信された低レートのＴＶ放送信号を受信し、そのＴＶ放送信号に含まれている低サイズの番組関連データを抽出し、その番組関連データに基づいて、比較的少数のＴＶ番組の中から所望のＴＶ番組を選択することができるようにしたＧＵＩ画面を自機のディスプレイ画面（図示せず）に表示する（例えば、比較的少数のセルから成る番組表を、所望のセルを選択することで所望のＴＶ番組が選択されるようなＧＵＩ画面を表示する）。また、ユーザ携帯端末１０１は、その所望のＴＶ番組について録画予約するか否か、及び、録画予約をキャンセル（消去）するか否かを、ＧＵＩ画面を介してユーザから受け付ける。そして、ユーザ所望のＴＶ番組が選択され且つそのＴＶ番組の録画予約が指定されたときには、ユーザ携帯端末１０１は、ユーザ所望のＴＶ番組についての録画予約情報を表す制御情報を作成し、一方、ユーザ所望のＴＶ番組について録画予約キャンセルが指定されたときには、それについての録画予約キャンセル情報を表す制御情報を生成し、公衆回線網１０２を介して記録制御装置１０３に送信する。
【００２８】
また、ユーザ携帯端末１０１は、放送局から受信した低レートのＴＶ放送信号に含まれている番組関連データに基づいて、番組編成（例えば、どの時間帯にどのＴＶ番組を放送するかを定めたもの）の変更があったこと及び変更後の番組編成を知得することができる。この場合の番組関連データには、例えば、番組編成の変更ありを示すデータや、変更後の番組編成を表すデータ（一例として、番組編成の変更によって放送されることになる複数のＴＶ番組と、それら複数のＴＶ番組の各々の放送時間帯とを含んだデータ、或いは、放送時間帯がどれぐらい繰り下がるかを示したデータ）とが含まれている。ユーザ携帯端末１０１は、その番組関連データから、番組編成の変更及び変更後の番組編成を知得した場合には、例えば以下の第１及び第２の処理のうちの少なくとも１つの処理を実行する。
【００２９】
（１）第１の処理
第１の処理は、予め録画予約情報が設定されている場合についての処理である。具体的に言うと、第１の処理は、知得された変更後の番組編成と、予め登録されている録画予約情報とを比較して、放送時間帯の変更等がある番組の録画予約情報があれば、それをユーザに通知しユーザの指示に従って修正する、或いはユーザに問い合わせずに自動的に修正する、というものである。以下、詳細に説明する。
ユーザ携帯端末１０１が、過去に入力された録画予約情報を、自機に搭載されているメモリ等の記憶媒体から、或いは公衆回線網１０２を介して外部の装置（例えば、記録制御装置１０３、或いは公衆回線網１０２上にあるサーバやストレージ等）から取得する。録画予約情報には、例えば、録画すべき録画時間帯（一例として、録画開始日時と録画終了日時とから成る情報）と、録画すべきＴＶ番組を識別するための録画番組情報（例えば、放送信号の周波数帯域、放送局名、番組名、或いはチャンネル名等）とが含まれている。ユーザ携帯端末１０１は、知得した変更後の番組編成と、記憶している１以上の録画予約情報とに基づいて、放送時間帯の変更又は放送の中止に係るＴＶ番組に関する録画予約情報の有無を検出する。
【００３０】
もし、放送時間帯が変更されたＴＶ番組に係る録画予約情報（以下、「時間変更予約情報」と言う）が有る場合には、ユーザ携帯端末１０１は、その旨をユーザに通知し、その時間変更予約情報の内容を変更するか否かをユーザに問い合わせる。変更するという回答が入力された場合には、ユーザ携帯端末１０１は、変更後の放送時間帯に応じて録画時間帯を変更した新たな録画予約情報を作成し、その新たな録画予約情報を記録制御装置１０３に送信する（例えば、後述するように変更後の録画時間帯が他の録画時間帯と重複することがなければ、ユーザに問い合わせることなく自動的に新たな録画予約情報を作成して送信しても良い）。記録制御装置１０３は、ユーザ携帯端末１０１から受信した新たな録画予約情報に基づいて、所定の記録領域（例えば記録制御装置１０３又は記録装置１０４内の所定のメモリ）に記録されている１以上の録画予約情報のうちの、上述した時間変更予約情報を新たな録画予約情報に変更し、記録装置１０４が、その記録領域に記録されたその新たな録画予約情報に基づいて録画を実行する。それにより、例えば、スポーツ番組の次のＴＶ番組の録画予約情報を入力した後に、スポーツ番組の放送終了時刻の３０分の延長により、次のＴＶ番組の放送開始が３０分遅くなった場合には、ＴＶ放送信号中のその旨を表す番組関連情報に基づいて、入力した録画予約情報中の録画時間帯を３０分繰り下げた新たな録画予約情報が作成されその新たな録画予約情報に基づいて録画が行われるので、ユーザにとって便利である。なお、以上の処理において、ユーザ携帯端末１０１は、新たな録画予約情報を作成して送信する代わりに、ＴＶ放送信号から抽出した番組関連情報を記録制御装置１０３に転送しても良い。
【００３１】
また、もし、放送が中止されたＴＶ番組に係る録画予約情報（以下、「中止予約情報」と言う）が有る場合には、ユーザ携帯端末１０１は、その旨をユーザに通知し、その中止予約情報を削除するか否かをユーザに問い合わせる。削除するという回答が入力された場合には、ユーザ携帯端末１０１は、中止予約情報を削除するための制御情報を作成し、その制御情報を記録制御装置１０３に送信する。記録制御装置１０３は、ユーザ携帯端末１０１から受信した制御情報（中止予約情報を削除するための命令）に基づいて、所定の記録領域に記録されている１以上の録画予約情報のうちの、上述した中止予約情報を削除する。これにより、ユーザにとって不要な番組が記録装置１０４により録画されることがない。なお、以上の処理において、ユーザ携帯端末１０１は、制御情報を作成して送信する代わりに、ＴＶ放送信号から抽出した番組関連情報を記録制御装置１０３に転送しても良い。
【００３２】
また、もし、録画予約情報中の録画時間帯を変更する場合に、変更後の録画時間帯が、他の記録予約情報に含まれている他の記録時間帯の全部又は一部と重複することになるならば、ユーザ携帯端末１０１は、例えば以下のようにして、変更後の録画時間帯と他の録画時間帯とが重複することが無いように、変更後の録画予約情報と他の記録予約情報との少なくとも一方の録画時間帯を変更する又は消去する。以下、図２〜図４を用いて例を説明する。
【００３３】
図２に示す通り、初め、２：００〜３：００に放送される第１のチャンネルの第１のＴＶ番組（具体的には、第１の放送局によって放送されるＴＶ番組）を録画するための第１の録画予約情報と、３：００〜５：００に放送される第２のチャンネルの第２のＴＶ番組を録画するための第２の録画予約情報があったとする。そして、図２に示す通り、第１のＴＶ番組の放送終了時刻が３０分延長され、そのために、第１のＴＶ番組の録画時間帯を３０分延ばすと、第２の録画予約情報中の録画時間帯との重複が生じてしまう。
【００３４】
その場合、ユーザ携帯端末１０１は、ディスプレイ画面に、図２に示すように、重複する録画時間帯がどこかが分かり易いようにその部分を強調表示し、且つ、第１と第２のＴＶ番組のどちらを優先するかを選択させるための選択カーソル２を表示する。ユーザ携帯端末１０１は、ユーザからの操作に応答して、選択カーソル２の表示位置を変更する、例えば、図３に示すように、ユーザが第１のＴＶ番組を選択するための操作に応答して、選択カーソル２を第１のＴＶ番組の表示欄に変更し、第１のＴＶ番組の表示欄を強調表示する。その後、ユーザ携帯端末１０１は、端末１０１に設けられている所定のボタンが押下されたときは、図４に示すように、第１の録画予約情報中の録画時間帯を「２：００〜３：００」から「２：００〜３：３０」に変更した新たな録画予約情報を作成し、それを記録制御装置１０３に送信する。なお、言うまでもなく、第２のＴＶ番組が選択された場合には、ユーザ携帯端末１０１は、第１のＴＶ番組の放送時間帯の延長に関わらず、第１のＴＶ番組の録画時間帯を「２：００〜３：００」に維持する、すなわち、第１の録画予約情報も第２の録画予約情報も変更しない。
【００３５】
なお、上記例は、２つの録画予約情報中のそれぞれ２つの録画時間帯が重複した場合の例であるが、３つ以上の録画時間帯が重複した場合も同様の方法により、或いは別の方法により、どれを優先するかの選択が可能である。重複の仕方によっては、削除することになる録画予約情報が有り得る。
【００３６】
また、どのＴＶ番組の録画を優先するかの優先順位は、上記のように、番組編成の変更がある都度にユーザに問い合わせても良いし、ユーザが録画予約情報を入力する際に予め設定し、もし、番組編成の変更があった場合には、その予め設定された優先順位に基づいてユーザに問い合わせることなく優先すべき録画予約情報が選択されても良い（確認のために問い合わせても良い）。
【００３７】
また、ユーザ携帯端末１０１は、録画予約情報中の録画時間帯を変更する場合に、変更後の録画時間帯が、他の記録予約情報に含まれている他の記録時間帯の全部又は一部と重複することになるならば、
（１）変更後の録画予約情報に基づいて録画すべき第１のＴＶ番組が第１の記録装置に記録されるように第１の記録装置を制御し、
（２）他の録画予約情報に基づいて録画すべき第２のＴＶ番組が第２の記録装置に録画されるように第２の記録装置を制御するようにするための記録場所制御情報を作成しそれを記録制御装置１０３に送信しても良い。それにより、記録制御装置１０３により、その記録場所制御情報に基づいて、どのＴＶ番組がどの記録装置に記録されるかが制御される。
【００３８】
ここで、「第１の記録装置」とは、例えば、ビデオ、ＣＤ、ＭＤ、ＤＶＤ、或いはハードディスクを用いるレコーダそれ自体、又は、そのレコーダ内の第１の記録メディア（例えばビデオテープ又はＣＤ等）のことである。また、「第２の記録装置」とは、例えば、第１の記録装置が指すレコーダとは異なるレコーダ、又は、同一レコーダ内の第１の記録メディアとは異なる記録メディアのことである。また、「記録場所制御情報」とは、例えば、録画予約情報に付加される情報であって、記録先の装置又はメディアを表した情報である。
【００３９】
（２）第２の処理
第２の処理は、これから録画予約情報を設定する場合についての処理である。具体的に言うと、第２の処理は、携帯電話機１０１が、番組編成の変更を記憶しておいて、ユーザが録画時間帯等を入力したときは、入力された録画時間帯等と変更後の番組編成とを比較して、ユーザが入力した録画時間帯等に誤りがある可能性があると判断したときには、それをユーザに通知するというものである（自動的に修正しても良い）。このため、ユーザは、番組編成の変更があったことを知らずに録画予約情報を入力しても、誤った入力をしなくて済む。以下、第２の処理について詳細に説明する。
ユーザ携帯端末１０１が、放送局から受信するＴＶ放送信号に含まれている番組関連情報（例えば変更後の番組編成）を、例えばそれが記憶されている自機内のメモリ又は他の外部機器（例えば所定のサーバ等）から取得する。また、ユーザ携帯端末１０１は、ユーザから、録画予約情報の入力を受け付ける。録画予約情報の入力の方法としては、例えば、
（ａ）ユーザ携帯端末１０１に予め用意されている録画予約フォーマット画面（例えば、録画時間帯、チャンネル、又はＧコードの入力欄が設けられた画面）上に所定の必要情報を入力する、
（ｂ）ＴＶ放送信号に含まれている番組関連情報に基づいて所望放送局の番組一覧を表示しその番組一覧から所望の番組を選択する、
（ｃ）所定のサーバ（例えば、ＴＶ放送信号を受信し、そのＴＶ放送信号から番組関連情報を抽出し、且つ、番組編成の変更及び変更後の番組編成を知得可能なコンピュータ）にアクセスしてそのサーバから配信される画面（例えば録画時間帯、Ｇコードの入力欄などが設けられている画面）を用いて入力する、
といった（ａ）〜（ｃ）の方法がある。
【００４０】
ユーザ携帯端末１０１は、ユーザから録画予約情報を入力された場合、取得した番組関連情報（例えば変更後の番組編成）に基づいて、入力された録画予約情報の適否を判断する。例えば、ユーザ携帯端末１０１は、入力された録画予約情報が、或る放送局Ａが放送するＴＶ番組であって録画時間帯が「４：００〜５：００」であるのに対して、取得されている番組関連情報が、放送局Ａが放送する予定の３：００以降の各ＴＶ番組の放送開始時刻が３０分繰り下がることを含んだ情報であったときは、ユーザから入力された録画時間帯が「４：００〜５：００」は誤りの可能性があると判断し、番組編成が変更されこと（又は変更後の番組編成）をユーザに報知すると共に、入力した録画予約情報に誤りがないか否か（例えば正しい録画時間帯は「４：３０〜５：３０」ではないか）をユーザに問い合わせる。その結果、ユーザから誤りであった旨が回答されたときには、ユーザ携帯端末１０１は、入力された録画時間帯「４：００〜５：００」を「４：３０〜５：３０」に変更した新たな録画予約情報を作成してそれを記録制御装置１０３に送信し、一方、誤りでない旨が回答されたときには、初めに入力された録画予約情報を変更することなく記録制御装置１０３に送信する。
【００４１】
なお、上記処理において、ユーザ携帯端末１０１は、放送の中止を表す番組関連情報を記憶していた場合には、ユーザに、入力された録画予約情報を削除するか否かの問い合わせをしても良い。また、ユーザ携帯端末１０１は、例えば番組名或いはＧコード等の方法によりＴＶ番組それ自体を特定できる方式で録画予約情報が入力された場合であって、上記取得された番組関連情報を基に上記入力された録画予約情報に誤りがあることが判断された場合には、ユーザに問い合わせることなく、自動的に、誤りを正した新たな録画予約情報を作成しても良い。
【００４２】
また、もし、録画予約情報中の録画時間帯を変更する場合に、変更後の録画時間帯が、他の記録予約情報に含まれている他の記録時間帯の全部又は一部と重複することになるならば、ユーザ携帯端末１０１は、例えば上記「第１の処理」で説明した方法により、変更後の録画時間帯と他の録画時間帯とが重複することが無いように、対象となっている録画予約情報（ここでは上記入力された録画予約情報）と他の記録予約情報との少なくとも一方の録画時間帯を変更する又は消去する。
【００４３】
以上が、ユーザ携帯端末１０１についての説明である。なお、ユーザ携帯端末１０１は、放送局からのＴＶ放送信号から番組関連データを抽出することに代えて、そのＴＶ放送信号を受信し番組関連データを抽出することができる他の装置（以下、「第３装置」と言う）からその番組関連データを受信することで番組関連データを取得しても良い。この場合、その第３装置は、ユーザ携帯端末１０１及び／又は記録制御装置１０３からの問い合わせの有無に関わらず、自動的に、例えば電子メール等の方法で、取得した番組関連データをユーザ携帯端末１０１及び／又は記録制御装置１０３に送信することができる（「第３装置」は、例えば、通信ネットワーク上に備えられるサーバマシンである）。
【００４４】
さて、次に、記録制御装置１０３について説明する。
【００４５】
記録制御装置１０３は、放送局から発信された高レートのＴＶ放送信号を受信し、そのＴＶ放送信号に含まれている高サイズの番組関連データを抽出し、その番組関連データに基づいて、比較的多数のＴＶ番組の中から所望のＴＶ番組を選択することができるようになったＧＵＩ画面を、テレビジョン装置等の所定の表示装置に表示する（例えば、比較的多数のセルから成る番組表を、所望のセルを選択することで所望のＴＶ番組が選択されるようなＧＵＩ画面を表示する）。また、記録制御装置１０３は、その所望のＴＶ番組について録画予約するか否か、及び、録画予約をキャンセル（消去）するか否かを、ＧＵＩ画面を介してユーザから受け付ける。そして、ユーザ所望のＴＶ番組が選択され且つそのＴＶ番組の録画予約が指定されたときには、記録制御装置１０３は、ユーザ所望のＴＶ番組についての録画予約情報を表す制御情報を作成し、一方、ユーザ所望のＴＶ番組について録画予約キャンセルが指定されたときには、それについての録画予約キャンセル情報を表す制御情報を生成し、その制御情報に基づいて、録画予約情報を所定の記録領域（例えば自機又は記録装置１０４）に設定したり、或いは、所定の記録領域に設定されている録画予約情報を削除したりする。
【００４６】
また、記録制御装置１０３は、放送局から受信した高レートのＴＶ放送信号に含まれている番組関連データに基づいて番組編成の変更があったこと及び変更後の番組編成を知得し、その変更後の番組編成、又はユーザ携帯端末１０１から受信した制御信号に基づいて、上記所定の記録領域に記録されている録画予約情報の内容を変更する又は削除することができる。
【００４７】
すなわち、記録制御装置１０３は、単独で、放送局からのＴＶ放送信号から取得した番組関連データから番組編成の変更及び変更後の番組編成を知得し、その変更後の番組編成に基づいて、予め記録されている１以上の録画予約情報のうちどの録画予約情報の内容をどのように変更するか又はどれを削除するかを、ユーザからの指示に従って又はユーザに問い合わせることなく自動的に決定することができるし、また、ユーザ携帯端末１０１からの制御情報に基づいて、予め記録されている１以上の録画予約情報のうちどの録画予約情報の内容をどのように変更するか又はどれを削除するかを決定することもできる。更に、記録制御装置１０３は、変更後の番組編成を知得した場合、又は、ユーザ携帯端末１０１（又は第３装置）から制御情報（又は変更後の番組編成）を受信した場合には、ユーザ携帯端末１０１についての説明で詳細に述べた第１の処理及び第２の処理の少なくとも一方を実行することが可能である。
【００４８】
以下、上述したユーザ携帯端末１０１が、変更後の番組編成を知得して上述した制御情報、すなわち、録画予約情報を変更する又は削除するための制御情報を作成して記録制御装置１０３に送信し、記録制御装置１０３がその制御情報に基づいて録画を制御する場合を例に採り、ユーザ携帯端末１０１及び記録制御装置１０３の機能及び動作について説明する。
【００４９】
図５は、本実施形態の上記例に係るユーザ携帯端末１０１の構成例を示すブロック図である。
【００５０】
図５において、２０１は放送情報受信手段、２０２は情報分離手段、２０３は記憶手段、２０４は番組ガイド作成手段、２０５は映像・音声復号手段、２０６は表示出力手段、２０７は選択・記憶手段、２０８は付加手段、２０９は制御情報作成・抽出手段、２１０は通信情報送受信手段である。
【００５１】
同図において、放送情報受信手段２０１は、放送局から、低レートのＴＶ放送信号（例えば携帯受信向けサービス）のみを受信し、選局、検波処理を施した後、デジタル復調及び、誤り訂正処理を施し、処理後の出力は、情報分離手段２０２に供給される。
【００５２】
情報分離手段２０２は、選局された映像・音声情報（動画像データ・サウンドデータ）及び、番組関連データなどの分離処理を施し、分離された番組関連データは、記憶手段２０３に、また、分離された映像・音声情報は、映像・音声復号手段２０４にそれぞれ供給される。
【００５３】
記憶手段２０３は、例えば、ユーザ携帯端末１０１に内蔵されている電気的に書換えや消去が可能な不揮発性メモリのＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ  ）の一種であるフラッシュメモリ素子、或いはメモリカードなどの記憶媒体であり、情報分離手段２０２において分離された番組関連データ（又は記録制御装置１０３から送信された所定の情報）の記憶処理を施し、記憶処理より前、或いは記憶処理と同時、又は記憶処理が完了した時に、番組関連データは番組ガイド作成手段２０５に供給される。
【００５４】
番組ガイド作成手段２０５は、記憶手段２０３からの番組関連データに対して、後で説明するユーザ携帯端末１０１の表示出力手段２０６に、番組ガイド（例えば、所望のＴＶ番組を選択するための番組表）を表示することができるように、番組ガイドの作成処理を施し、作成された番組ガイドは、表示出力手段２０６に供給される。
【００５５】
一方、映像・音声復号手段２０５は、情報分離手段２０２からの圧縮されている映像情報（例えばＭＰＥＧ形式で圧縮されている）及び音声情報の復号処理を施し、復号処理された映像・音声情報は、表示出力手段２０６に供給される。
【００５６】
表示出力手段２０６は、番組ガイド作成手段２０４からの番組ガイド及び、映像・音声復号手段２０５からの映像・音声を出力するための出力手段で、ＣＲＴ、或いは液晶、或いはＰＤＰ（プラズマ・ディスプレイ・パネル）を利用した表示装置、及びスピーカ装置を有している。
【００５７】
選択・記憶手段２０７は、表示出力手段２０６に表示された番組ガイドを利用して、ユーザが録画予約を行う場合に、図示しないユーザ携帯端末１０１のボタンキーなどを操作して所望の番組選択を可能とする選択処理を施し、選択された番組情報を記憶する。
【００５８】
付加手段２０８は、選択・記憶手段２０７により選択処理が実行された場合に、番組ガイド上の選択された番組欄を未選択の番組欄と異なる色や文字などで表示したり、或いは番組ガイド上の選択された番組欄に録画予約要求されたことが理解することができるような文字や記号を付加するなどの付加処理（例えば、図２〜図４を参照して説明した強調表示のための処理）を施し、選択されたことがユーザに対して視覚的にも理解しやすいように表示する。また、後で説明するが、制御情報作成・抽出手段２０９からの予約一覧情報（例えば、記録制御装置１０３から受信した既に登録済みの１以上の録画予約情報）のパラメータに基づいて、複数の表示欄から成る番組ガイド上において、既に録画予約情報が登録されている番組欄を未予約の番組欄（すなわち録画予約情報が登録されていない番組欄）と異なる色や文字で表示したり、或いは番組ガイド上の番組欄に予約されたことが理解することができるような文字や記号を付加するなどの付加処理も施し、既に予約登録されていることがユーザに対して視覚的に理解しやすいように表示する。
【００５９】
制御情報作成・抽出手段２０９は、前記選択・記憶手段２０７において選択された番組の録画予約情報を記録制御装置１０３に送信することができるように情報を作成し、作成された情報は通信情報送受信手段２１０に供給される。また、制御情報作成・抽出手段２０９は、前記の通信情報送受信手段２１０から受信した、記録制御装置１０３に既に登録されている予約一覧情報からパラメータを抽出し、抽出されたパラメータは、記憶手段２０３に記憶され、更に付加手段２０８に供給される。
【００６０】
通信情報送受信手段２１０は、情報作成・抽出手段２０９からの録画予約情報を公衆回線網１０２を介して、記録制御装置１０３に送信する。また、通信情報送受信手段２１０は、公衆回線網１０２を介して送信される、記録制御装置１０３からの情報を受信し、受信された情報は情報作成・抽出手段２０９に供給される。
【００６１】
図６は、本実施形態の上記例に係る記録制御装置１０３の構成例を示すブロック図である。
【００６２】
図６において、３０１は放送情報受信手段、３０２は情報分離手段、３０３は記憶手段、３０４は番組ガイド作成手段、３０５は映像・音声復号手段、３０６は表示出力手段、３０７は選択・記憶手段、３０８は付加手段、３０９は制御情報作成・抽出手段、３１０は通信情報送受信手段、３１１は記録装置入出力手段である。
【００６３】
同図において、放送情報受信手段３０１は、放送局からの放送波の高レートのＴＶ放送信号（例えば固定受信向けサービス）を受信し、選局、検波処理を施した後、デジタル復調及び、誤り訂正処理を施し、処理後の出力は、情報分離手段３０２に供給される。
【００６４】
情報分離手段３０２は、選局された映像・音声情報及び、番組情報などの分離処理を施し、分離された番組情報は、記憶手段３０３に、また、分離された映像・音声情報は、映像・音声復号手段３０４にそれぞれ供給される。
【００６５】
記憶手段３０３は、例えば、記録制御装置１０３に内蔵されている電気的に書換えや消去が可能な不揮発性メモリであるＥＥＰＲＯＭの一種であるフラッシュメモリ素子などで、情報分離手段３０２において分離された番組情報の記憶処理を施し、記憶処理より前、或いは記憶処理と同時、または記憶処理が完了した時に、番組情報は、番組ガイド作成手段３０５に供給される。
【００６６】
番組ガイド作成手段３０５は、記憶手段３０３からの番組情報に対して、後で説明する記録制御装置１０３の表示出力手段３０６に、番組ガイドを表示することができるように、番組ガイド作成処理を施し、作成した番組ガイドは、表示出力手段３０６に供給される。
【００６７】
一方、映像・音声復号手段３０５は、情報分離手段３０２からの圧縮されている映像（例えばＭＰＥＧ画像）・音声情報の復号処理を施し、復号処理された映像・音声情報は、表示出力手段３０６に供給される。
【００６８】
表示出力手段３０６は、番組ガイド作成手段３０４からの番組ガイド及び、映像・音声復号手段３０５からの映像・音声を出力するための出力部で、ＣＲＴ、或いは液晶、或いはＰＤＰを利用した表示装置、及びスピーカ装置を有している。
【００６９】
選択・記憶手段３０７は、表示出力手段３０６に表示した番組ガイドを利用して、ユーザが録画予約を行う場合に、図示しない記録制御装置１０３のリモコンのボタンキーなどを操作して所望の録画予約番組選択を可能とする選択処理を施し、選択された情報を記憶する。また、後で説明する制御情報作成・抽出手段３０９からのユーザ携帯端末１０１から送信される予約情報に基づいて、所望の番組の録画予約選択処理を施し、選択された情報を記憶する。
【００７０】
付加手段３０８は、選択・記憶手段３０７により選択処理が実行された場合に、番組ガイド上の選択された番組欄を未選択の番組欄と異なる色や文字などで表示したり、或いは番組ガイド上の選択された番組欄に録画予約要求されたことが理解することができるような文字や記号を付加するなどの付加処理を施し、録画予約選択されたことがユーザに対して視覚的にも理解しやすいように表示する。また、後で説明する制御情報作成・抽出手段３０９からのユーザ携帯端末１０１から送信される録画予約情報に基づいて、番組ガイド上の予約された番組欄を未予約の番組欄と異なる色や文字で表示したり、或いは番組ガイド上の番組欄に予約されたことが理解することができるような文字や記号を付加するなどの付加処理を施す。
【００７１】
制御情報作成・抽出手段３０９は、前記選択・記憶手段３０７で選択された番組の予約一覧情報、或いは録画予約処理制御情報をユーザ携帯端末１０１に送信することができるように情報を作成し、作成された情報は通信情報送受信手段３１０に供給される。また、制御情報作成・抽出手段３０９は、前記通信情報送受信手段３１０から受信したユーザ携帯端末１０１から送信される予約情報をからパラメータを抽出し、抽出されたパラメータは付加手段３０８に供給される。
【００７２】
通信情報送受信手段３１０は、情報作成・抽出手段３０９からの情報を公衆回線網１０２を介して、ユーザ携帯端末１０１に送信する。また、通信情報送受信手段３１０は、公衆回線網１０２を介して送信される、ユーザ携帯端末１０１からの情報を受信し、受信した情報は情報作成・抽出手段３０９に供給される。
【００７３】
記録装置入出力手段３１１は、記録装置１０４が例えばＶＣＲ（Ｖｉｄｅｏ  Ｃａｓｓｅｔｔｅ  Ｒｅｃｏｒｄｅｒ）の場合は、アナログ信号が入出力となり、表示出力手段３０６の出力が接続される。また、記録装置１０４が例えばＤＶＣＲ（Ｄｉｇｉｔａｌ  Ｖｉｄｅｏ  Ｃａｓｓｅｔｔｅ  Ｒｅｃｏｒｄｅｒ）などのデジタル記録装置の場合は、例えばＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４を介してデジタルデータに対応する画像および音声入出力となり、例えば情報分離手段３０２の出力が接続される。
【００７４】
次に、図７のフローチャートを用いて、本実施形態の上記例においてユーザ携帯端末１０１が実行する、録画予約の設定処理について説明する。
【００７５】
初めに、ステップＳ１において、ユーザにより表示出力手段２０６へ所望チャンネルの番組ガイドの表示が要求されたか否かを判定し、表示要求されたと判定された場合には、ステップＳ２に進み、未だ表示要求されないと判定された場合には、本ステップＳ１の処理を繰返し実行する。
【００７６】
ステップＳ２において、放送情報受信手段２０１、情報分離手段２０２により、放送局からの放送波のうち低レートのＴＶ放送信号（例えば携帯受信向けサービス）から最新の番組関連データを受信・取得し、受信・取得が完了次第、番組関連データを記憶手段２０３に記憶・更新し、ステップＳ３に進む。
【００７７】
ステップＳ３において、制御情報作成・抽出手段２０９、通信情報送受信手段２１０により、公衆回線網１０２を介して記録制御装置１０３に接続し、記録制御装置１０３に既に登録されている予約情報一覧を要求・取得すると、ステップＳ４に進む。このとき、録画予約情報が存在しない場合には、その旨がわかる情報を記録制御装置１０３から受信する。
【００７８】
ステップＳ４において、ステップＳ２で取得した番組関連データに基づいて番組ガイド作成手段２０４により作成された番組ガイドを表示出力手段２０６で表示し、同時にステップＳ３で取得した予約一覧情報を、付加手段２０８により前記表示された番組ガイド上で予約登録されていることが理解できるように、その番組欄の色を未予約の番組欄と異なる色に変更したり、或いは文字や記号などを付加するとステップＳ５に進む。また、例えば、番組ガイド作成手段２０４により、番組編成の変更及び変更後の番組編成を取得されたときにも、付加手段２０８により前記表示された番組ガイド上で、放送時間帯が変更又は中止されたＴＶ番組に係る録画予約情報がどれであるかを理解できるように別の態様で表示する。
【００７９】
ステップＳ５において、選択・記憶手段２０７により番組ガイド上で、予約番組の選択されたか否か、又は、既に登録された録画予約情報を変更するか否かを判定し、予約番組の選択されたと判定された場合、又は、録画予約情報を変更すると判定された場合には、ステップＳ６に進む。一方、未だ予約番組の選択されないと判定された場合、又は、録画予約情報の変更又は削除の要求がされていないと判定された場合には、本ステップＳ５の処理を繰返し実行する。
【００８０】
ステップＳ６において、制御情報作成・抽出手段２０９によりステップＳ５で選択された番組の録画予約情報を作成すると、或いは、選択された録画予約情報の変更又は消去のための制御情報を作成すると処理は終了される。
【００８１】
次に、図８のフローチャートを用いて、ユーザ携帯端末１０１が実行する、録画予約情報の送信処理について説明する。
【００８２】
始めに、ステップＳ１１において、図７のフローチャートに基づいて、録画予約の設定処理又は制御情報（すなわち、変更対象の録画予約情報及びその録画予約情報の変更後の内容、又は削除対象の録画予約情報の削除命令）の作成処理が終了されたか否かを判定し、録画予約の設定処理が終了されたと判定された場合には、ステップＳ１２に進み、録画予約の設定処理が終了されないと判定された場合には、本ステップＳ１１の処理を繰返し実行する。
【００８３】
ステップＳ１２において、通信情報送受信手段２１０により公衆回線網１０２を介して記録制御装置１０３に接続すると、ステップＳ１３に進む。
【００８４】
ステップＳ１３において、通信情報送受信手段２１０により録画予約情報又は制御情報を記録制御装置１０３に送信すると、ステップＳ１４に進む。
【００８５】
ステップＳ１４において、通信情報送受信手段２１０により記録制御装置１０３との接続を解除すると、処理は終了される。
【００８６】
次に、図９のフローチャートを用いて、記録制御装置１０３が実行する、録画予約情報の受信処理について説明する。
【００８７】
始めに、ステップＳ２１において、通信情報送受信手段３１０によりユーザ携帯端末１０１から録画予約情報又は制御情報を受信したか否かを判定し、受信されていないと判定された場合には、本ステップＳ２１の処理を繰返し実行し、録画予約情報又は制御情報が受信されるまで待機する。そして、ステップＳ２１において、受信されていると判定されると、ステップＳ２２に進む。
【００８８】
ステップＳ２２において、制御情報作成・抽出手段３０９により受信された録画予約情報又は制御情報を読み出し、読み出した情報が、録画予約情報（又はそれの設定を命ずるコマンド）又はどの録画予約情報をどのように変更するかの情報（又は変更後の録画予約情報の設定を命ずるコマンド）である否かを判定する（変更後の録画予約情報は例えばユーザ携帯端末１０１の付加手段２０８及び／又は制御情報作成・抽出手段２０９によって作成される）。その判定の結果、否定的であれば、ステップＳ２４に進み、肯定的であれば、ステップＳ２３に進み、録画処理を実行する。
【００８９】
ここで、図１０のフローチャートを用いて、記録制御装置１０３が実行する録画予約処理について更に詳細に説明する。
【００９０】
ステップ３１において、制御情報生成・取得手段３０９により録画予約情報（具体的には、例えば、新規の録画予約情報又は既存の録画予約情報の変更後のもの）からパラメータを抽出し、抽出されたパラメータを記憶手段３０３に記憶して、ステップＳ３２に進む。このパラメータには、例えば、チャンネル情報、日付情報、録画開始時間情報、録画終了時間情報、番組の放送時間情報が含まれる。
【００９１】
ステップＳ３２において、図示せぬ記録制御装置１０３に内蔵されている時計（タイマ装置）から、現在時刻を読み出すと、ステップＳ３３に進む。
【００９２】
ステップＳ３３において、選択・記憶手段３０７によりステップＳ３１で抽出されたパラメータにおける録画開始時刻情報が、ステップＳ３２で読み出した現在時刻より進んでいるか否かを判定し、開始時間情報が現在時刻情報より進んでいると判定した場合には、ステップＳ３４に進む。
【００９３】
ステップＳ３４において、選択・記憶手段３０７、記録装置入出力手段３１１により記録制御装置１０１が現在録画開始中でないか否かを判定し、現在録画中である場合には、ステップＳ４０に進み、現在録画中でない場合には、ステップＳ３５に進む。
【００９４】
ステップＳ３５において、選択・記憶手段３０７により現在時刻から終了時間情報までの間に、既に登録されている予約がないか否かを判定し、既に登録されている予約がある場合には、ステップＳ４０に進み、既に登録されている予約がない場合には、ステップＳ３６に進む。
【００９５】
ステップＳ３６において、記録装置入出力手段３１１により録画を開始すると、ステップＳ３１で抽出されたパラメータにおけるチャンネル情報に基づいて、このチャンネルが選局できるよう放送情報受信手段３０１及び、情報分離手段３０２に対して設定され、記録装置入出力手段３１１により所望の番組が記録装置１０４に出力されると同時に、記録装置１０４に録画制御を施すと、ステップＳ３７に進む。
【００９６】
ステップＳ３７において、制御情報作成・抽出手段３０９、通信情報送受信手段３１０により録画開始処理が完了したことの通知情報を、例えば、電子メールなどを用いて、ユーザ携帯端末１０１に送信すると、ステップＳ３７に進む。
【００９７】
ステップＳ３８において、選択・記憶手段３０７により図示せぬ記録制御装置１０３に内蔵されている時計から、現在時刻を読み出し、読み出した現在時刻と記憶手段３０３から読み出された録画予約情報に含まれる録画終了時間情報とを比較し、録画予約を終了する時間か否かを判定し、未だ録画を終了しないと判定された場合には、本ステップＳ３８の処理を繰返し実行する。ステップＳ３８において、録画を終了すると判定されると、処理は、図９のステップＳ２３にリターンする。
【００９８】
ステップＳ４０において、制御情報作成・抽出手段３０９、通信情報送受信手段３１０により録画開始処理が不能であることの通知情報を、例えば、電子メールなどを用いて、ユーザ携帯端末１０１に送信すると、処理は、図９のステップＳ２３にリターンする。ステップＳ３３において、開始時間情報が現在時刻情報より遅れていると判定した場合には、ステップＳ３９に進み、予約処理を実行する。
【００９９】
ここで、図１１のフローチャートを用いて、記録制御装置１０３が実行する予約処理について更に詳細に説明する。
【０１００】
ステップＳ５２において、選択・記憶手段３０７によりステップＳ３１で抽出されたパラメータの設定内容が正常である（例えば、録画時間帯が既に登録されている予約と重複しない）か否かを判定し、設定内容が正常であると判定した場合には、ステップＳ５２に進み、設定内容が正常ではない、すなわち、既に登録されている録画予約時間と今回受信した録画予約時間が一部重複すると判定された場合には、ステップＳ５４に進む。
【０１０１】
ステップＳ５２において、選択・記憶手段３０７によりステップＳ３１で抽出されたパラメータに基づいて、予約タイマの処理を実行させると、ステップＳ５３に進む。
【０１０２】
ステップＳ５３において、制御情報作成・抽出手段３０９、通信情報送受信手段３１０により録画予約処理が完了したことの通知情報を、例えば、電子メールなどを用いて、ユーザ携帯端末１０１に送信すると、処理は、図１０のステップＳ３９にリターンする。
【０１０３】
ステップＳ５４において、制御情報作成・抽出手段３０９、通信情報送受信手段３１０により録画予約処理が不能であることの通知情報を、例えば、電子メールなどを用いて、ユーザ携帯端末１０１に送信すると、処理は、図１０のステップＳ３９にリターンし、さらに、処理は、図９のステップＳ２３にリターンする。そして、ステップＳ２３の処理にリターンされた後、ステップＳ２１に戻り、上述した処理が繰り返される。
【０１０４】
図９に戻り、ステップＳ２４において、制御情報作成・抽出手段３０９により受信された録画予約情報を読み出し、読み出したデータが、キャンセル制御コマンド情報（すなわち、例えば、既に登録されている録画予約情報のうちユーザに選択された録画予約情報がどれかということと、その情報を消去する旨のコマンド）が含まれているか否かを判定し、含まれていると判定した場合には、ステップＳ２５に進み、予約キャンセル処理を実行する。
【０１０５】
ここで、図１２のフローチャートを用いて、記録制御装置１０３が実行する予約キャンセル処理について更に詳細に説明する。
【０１０６】
ステップＳ６１において、選択・記憶手段３０７により指定された録画予約情報が存在するか否か、すなわち、指定された録画予約情報が記憶手段３０３に記憶されているか否かを判定し、指定された録画予約情報が存在すると判定した場合には、ステップＳ６２に進み、指定された録画予約情報が存在しないと判定した場合には、ステップＳ６４に進む。
【０１０７】
ステップＳ６２において、選択・記憶手段３０７により録画予約情報を記憶手段３０３から削除すると、ステップＳ６３に進む。
【０１０８】
ステップＳ６３において、制御情報作成・抽出手段３０９、通信情報送受信手段３１０により録画予約情報を削除したことの通知情報を、例えば、電子メールなどを用いて、ユーザ携帯端末１０１に送信する。
【０１０９】
ステップＳ６４において、制御情報作成・抽出手段３０９、通信情報送受信手段３１０により録画予約情報を削除が不能であることの通知情報を、例えば、電子メールなどを用いて、ユーザ携帯端末１０１に送信する。ステップＳ６３またはステップＳ６４の処理の後、処理は、図６のステップＳ２４にリターンする。
【０１１０】
以上、本発明の好適な幾つかの実施形態を説明したが、これは本発明の説明のための例示であって、本発明の範囲をこの実施形態にのみ限定する趣旨ではない。本発明は、他の種々の形態でも実施することが可能である。
【０１１１】
例えば、上述において、公衆回線網１０２を介したユーザ携帯端末１０１と記録制御装置１０３とのアクセス・接続に関しては、通常のインターネットで使用されている接続方式を用いることができる。
【０１１２】
また、放送局から送出される放送波の階層伝送を、高レート及び低レートの放送信号がサイマル放送で放送する場合に限らず、サイマル放送されていない場合においても、例えば、記録制御装置１０３が携帯受信向けサービスの受信が可能なようにすることで、同様の効果を奏することが可能である。
【０１１３】
また、例えば、ユーザ携帯端末１０１において、固定受信向けサービスの番組関連情報を受信・取得し、番組ガイドを作成できるようにすることで、現在から約１週間後の番組予約を携帯端末により行うことが可能になる。
【０１１４】
また、例えば、ユーザ携帯端末１０１から記録制御装置１０３に予約登録された後に、記録制御装置１０３側で予約登録番組の番組編成変更などをチェックすることで、より一層、流動的な番組編成に即座に対応可能になる。
【０１１５】
また、例えば、上記図７における録画予約の設定処理の説明において、ステップＳ１における表示要求あったときに、ステップＳ２における最新の番組情報の受信・取得を実施するようにしたが、番組関連データの受信・取得の実施を常に行うようにすることで、常に最新の番組情報が取得されることになり、このことで、ステップＳ２の処理がなくなり番組ガイドの表示時の高速化を図れるようになり得る。
【０１１６】
また、例えば、以上の説明の記録制御装置１０３において、記録装置１０４は非内臓としたが、記録装置１０４が記録制御装置１０３に内蔵されていてもよい。
【０１１７】
また、例えば、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアが組み込まれているコンピュータ、或いは各種のプログラムをインストールすることで、各種の機能を実行することが可能な、例えば汎用のパーソナルコンピュータなどに、プログラム格納媒体からインストールされる。また、コンピュータにインストールされ、コンピュータによって実行可能な状態とされるプログラムを格納する、プログラム格納媒体は、磁気ディスク、光ディスク、ＤＶＤ，光磁気ディスク、半導体メモリなどによるパッケージメディア、または、プログラムが一時的若しくは永続的に格納されるフラッシュＲＯＭや、ハードディスクなどにより構成される。プログラム格納媒体へのプログラム格納は、必要に応じて、ルータ、モデムなどのインタフェースを介して、公衆回線網１０２、ローカルエリアネットワーク、インターネット、デジタル放送といった有線または無線の通信媒体を利用して行うことが可能である。
【０１１８】
また、例えば、本明細書において、プログラム格納媒体に格納されるプログラムを記述するステップは、記述された順序に沿って時系列的に行われる処理はもちろん、必ずしも時系列的に処理されなくとも、並列的、或いは個別に実行される処理をも含むものである。
【０１１９】
また、本明細書において、システムとは、複数の端末、或いは装置により構成される全体を表すものである。
【０１２０】
また、例えば、記録制御装置１０３からユーザ携帯端末１０１へ補完番組情報を送信しても良い。具体的には、例えば、ユーザ携帯端末１０１は、自機が受信した小サイズの番組関連データを用いて番組ガイドを作成するとしているが、携帯端末１０１側で受信処理をした番組関連データでは情報量が不足している場合には、記録制御装置１０３で受信処理した高サイズの番組関連データを携帯端末１０１用に加工した補完番組情報（例えば、解像度が低い番組ガイド画面）を作成し、記録制御装置１０３がその補完番組情報をユーザ携帯端末１０１に送信する。
【０１２１】
また、例えば、番組編成の変更を含んだ番組関連データを受信したとき、既に登録した録画予約情報のうち放送時間帯の変更又は放送の中止に係るＴＶ番組の番組録画情報が有る旨がユーザ携帯端末１０１又は記録制御装置１０３で検出されたとき、或いは、その検出された旨を受信したとき等の原因によってユーザに何らかの通知をする際、ユーザ携帯端末１０１又は記録制御装置１０３は、以下の（１）〜（８）のうちの少なくとも１つの方法で通知することができる。
【０１２２】
（１）ユーザ携帯端末１０１又は記録制御装置１０３に予め登録されている複数種類のサウンドの中から、所定のサウンド（例えば、ユーザによって現在設定されていないサウンドを選択して出力する。
【０１２３】
（２）発光可能な複数の色又は複数の発光パターンの中から、所定の色又は発光パターン（例えば、ユーザによって現在設定されていない色又は発光パターン）を選択し、選択した色の光を発光する又は選択した発光パターンで発光する。
【０１２４】
（３）ユーザ携帯端末１０１に予め登録されている複数種類のバイブレーションパターンの中から、所定のバイブレーションパターン（例えば、ユーザによって現在設定されていないバイブレーションパターン）を選択し、選択したバイブレーションパターンでバイブレーションを実行する。
【０１２５】
（４）ユーザ携帯端末１０１又は記録制御装置１０３に予め登録されている複数種類のイメージの中から、所定のイメージ（例えば、ユーザによって現在設定されていないイメージ）を選択し、選択されたイメージを表示する。
【０１２６】
（５）サウンドデータと、そのサウンドデータに基づいてサウンドを出力することを表すデータとを含んだデータを受信し、そのデータ中のサウンドデータに基づいてサウンドを出力する。
【０１２７】
（６）発光パターンデータと、その発光パターンデータが表す発光パターンで発光することを示すデータとを含んだデータを受信し、そのデータ中の発光パターンデータに基づいて発光する。
【０１２８】
（７）バイブレーションパターンデータと、そのバイブレーションパターンデータが表すバイブレーションパターンでバイブレーションを実行することを示すデータとを含んだデータを受信し、そのデータ中のバイブレーションパターンデータに基づくバイブレーションパターンでバイブレーションを実行する。
【０１２９】
（８）イメージデータと、そのイメージデータが表すイメージを表示することを表すデータとを含んだデータを受信し、そのデータ中のイメージデータに基づいてイメージを表示する。
【図面の簡単な説明】
【図１】本発明の一実施形態に係る実施の形態における番組録画制御システムの構成を示すブロック図。
【図２】ユーザ携帯端末１０１において、過去に登録した録画予約情報を変更する際にディスプレイ画面に表示されるＧＵＩ画面の例。
【図３】ユーザ携帯端末１０１において、過去に登録した録画予約情報を変更する際にディスプレイ画面に表示されるＧＵＩ画面の例。
【図４】ユーザ携帯端末１０１において、過去に登録した録画予約情報を変更する際にディスプレイ画面に表示されるＧＵＩ画面の例。
【図５】本実施形態に係る番組録画制御システムのユーザ携帯端末の構成を示すブロック図。
【図６】本実施形態における番組録画制御システムの記録制御装置の構成を示すブロック図。
【図７】本実施形態におけるユーザ携帯端末が実行する、録画予約の設定処理について説明するためのフローチャート。
【図８】本実施形態におけるユーザ携帯端末が実行する、録画予約情報の送信処理について説明するためのフローチャート。
【図９】本実施形態における記録制御装置が実行する、録画予約情報の受信処理について説明するためのフローチャート。
【図１０】本実施形態における記録制御装置が実行する、録画予約処理について説明するためのフローチャート。
【図１１】本実施形態における記録制御装置が実行する、予約処理について説明するためのフローチャート。
【図１２】本実施形態における記録制御装置が実行する、予約キャンセル処理について説明するためのフローチャート。
【符号の説明】
１０１…ユーザ携帯端末
１０２…公衆回線網
１０３…記録制御装置
１０４…記録装置
２０１、３０１…放送情報受信手段
２０２、３０２…情報分離手段
２０３、３０３…記憶手段
２０４、３０４…番組ガイド作成手段
２０５、３０５…映像・音声復号手段
２０６、３０６…通信情報送受信手段
２０７、３０７…選択・記憶手段
２０８、３０８…付加手段
２０９、３０９…制御情報生成・抽出手段
２１０、３１０…通信情報送受信手段
３１１…記録装置入出力手段
【図１】
2004215031.tif 000003
【図２】
2004215031.tif 000004
【図３】
2004215031.tif 000005
【図４】
2004215031.tif 000006
【図５】
2004215031.tif 000007
【図６】
2004215031.tif 000008
【図７】
2004215031.tif 000009
【図８】
2004215031.tif 000010
【図９】
2004215031.tif 000011
【図１０】
2004215031.tif 000012
【図１１】
2004215031.tif 000013
【図１２】
2004215031.tif 000014